(57)【特許請求の範囲】
【請求項１】
生体の一部を圧迫するために該生体に装着されたカフから採取されるカフ脈波に基づいて該カフ脈波に含まれる進行波成分に対する反射波成分の割合を示す振幅増加指数を測定するための振幅増加指数測定装置であって、
前記カフ脈波の４次微分波形を算出する４次微分処理手段と、
前記カフ脈波の立上り点を決定する基準点決定手段と、
該基準点決定手段により決定された前記カフ脈波の立上り点を基準とする立上りウインドウを設定するウインドウ設定手段と、
前記４次微分処理手段により算出された４次微分波形に基づいて、前記カフ脈波に含まれる進行波成分のピーク発生点と該カフ脈波に含まれる反射波成分のピーク発生点とを決定するものであって、前記ウインドウ設定手段により設定された前記立上りウインドウ内における前記４次微分波形の零交差点に基づいて該進行波成分のピーク発生点を決定するピーク発生点決定手段と、
該ピーク発生点決定手段により決定された進行波成分のピーク発生点の振幅と、該ピーク発生点決定手段により決定された反射波成分のピーク発生点の振幅との割合を示す振幅増加指数を算出する振幅増加指数算出手段と
を、含むことを特徴とする振幅増加指数測定装置。
【請求項２】
前記ピーク発生点決定手段は、前記立上りウインドウ内における前記４次微分波形の零交差点のうち該立上りウインドウの開始点または終了点から予め設定された順位の零交差点を前記進行波成分のピーク発生点として決定するものである請求項１の振幅増加指数測定装置。
【請求項３】
生体の一部を圧迫するために該生体に装着されたカフから採取されるカフ脈波に基づいて該カフ脈波に含まれる進行波成分に対する反射波成分の割合を示す振幅増加指数を測定するための振幅増加指数測定装置であって、
前記カフ脈波の４次微分波形を算出する４次微分処理手段と、
前記カフ脈波のノッチ発生点を決定する基準点決定手段と、
該基準点決定手段により決定された前記カフ脈波のノッチ発生点を基準とするノッチウインドウを設定するウインドウ設定手段と、
該４次微分処理手段により算出された４次微分波形に基づいて、前記カフ脈波に含まれる進行波成分のピーク発生点と該カフ脈波に含まれる反射波成分のピーク発生点とを決定するものであって、前記ウインドウ設定手段により設定された前記ノッチウインドウ内における前記４次微分波形の零交差点に基づいて前記反射波成分のピーク発生点を決定するピーク発生点決定手段と、
該ピーク発生点決定手段により決定された進行波成分のピーク発生点の振幅と、該ピーク発生点決定手段により決定された反射波成分のピーク発生点の振幅との割合を示す振幅増加指数を算出する振幅増加指数算出手段と
を、含むことを特徴とする振幅増加指数測定装置。
【請求項４】
前記ピーク発生点決定手段は、前記ノッチウインドウ内における前記４次微分波形の零交差点のうち該ノッチウインドウの開始点または終了点から予め設定された順位の零交差点を前記反射波成分のピーク発生点として決定するものである請求項３の振幅増加指数測定装置。
【発明の詳細な説明】
【０００１】
【発明の属する技術分野】
本発明は、生体の一部を圧迫するために該生体に装着されたカフから採取されるカフ脈波に基づいて該カフ脈波に含まれる進行波成分に対する反射波成分の割合を示す振幅増加指数を測定するための振幅増加指数測定装置に関するものである。
【０００２】
【従来の技術】
振幅増加指数は、一般的にはＡＩ(=Augmentation Index) として知られており、大動脈のコンプライアンスを評価するために、たとえば脈波の進行波成分に対する反射波成分の割合を表したものである。大動脈のコンプライアンスが大きいと反射波成分が小さくなり、コンプライアンスが小さいと反射波成分は大きくなる。つまり大動脈血管が硬くなると大動脈波形の反射波成分が大きくなることから、振幅増加指数は動脈硬化を反映するので、動脈硬化を検査する指標などに用いられる。
【０００３】
上記のように、振幅増加指数は脈波の進行波成分に対する反射波成分の割合であるが、検出される脈波（以下、検出脈波という）を進行波成分と反射波成分に分離することは困難であるので、振幅増加指数の算出方法は、たとえば、検出脈波から進行波成分のピーク発生時点と反射波成分のピーク発生時点を決定し、進行波成分のピーク発生時における検出脈波の大きさと、反射波成分のピーク発生時における検出脈波の大きさとの差を、検出脈波の脈圧で割ることによって算出する。また、進行波成分のピーク発生時点は、検出脈波の立ち上がり点からピークまでにおける変曲点または極大点の発生時点であるとし、反射波成分のピーク発生時点は、進行波成分のピーク以降における最初の極大点の発生時点であるとしている。
【０００４】
【発明が解決しようとする課題】
上記のように、振幅増加指数は大動脈のコンプライアンスを評価するものであるので、臨床では、体表面上から検出できる脈波の中で大動脈に最も近い頸動脈波を用いて振幅増加指数を算出している。しかし、頸動脈波を検出するための頸動脈波センサは適切な位置に装着するのに熟練を要し、また、頸動脈波センサを装備する必要があるという問題点がある。そのため、血圧測定などに付随して、たとえば上腕に装着されたカフから検出されるカフ脈波を用いて振幅増加指数を簡便に測定したいという要求が出てきた。
【０００５】
しかしながら、カフの圧力振動として検出されるカフ脈波は、頸動脈波とは異なり、その変化が比較的なだらかであって、カフ脈波に含まれる進行波成分のピーク発生点および反射波成分のピーク発生点が認識し難い場合が多く、また、反射波成分のピーク発生時点が、進行波成分のピーク以降における最初の極大点の発生時点ではない場合もあるので、進行波成分のピーク発生点および反射波成分のピーク発生点の振幅に基づいて算出される振幅増加指数の精度が十分に得られないという不都合があった。
【０００６】
本発明は以上の事情を背景として為されたものであって、その目的とするところは、カフ脈波から一層正確に振幅増加指数を算出することができる振幅増加指数測定装置を提供することにある。
【０００７】
【課題を解決するための手段】
本発明者は、カフ脈波に含まれる進行波成分のピーク発生点および反射波成分のピーク発生点は、カフ脈波の波形からは明らかに認識できないけれども、４次微分波形の零交差点が、進行波成分のピーク点および反射波成分のピーク点と好適に一致する現象があり、その４次微分波形の零交差点から決定される進行波成分のピーク点の振幅値と反射波成分のピーク点の振幅値との比を求めることにより、正確な振幅増加指数を算出できることを見いだした。本発明は、係る知見に基づいてなされたものである。
【０００８】
すなわち、前記目的を達成するための本発明の要旨とするところは、生体の一部を圧迫するために該生体に装着されたカフから採取されるカフ脈波に基づいて該カフ脈波に含まれる進行波成分に対する反射波成分の割合を示す振幅増加指数を測定するための振幅増加指数測定装置であって、(a) 前記カフ脈波の４次微分波形を算出する４次微分処理手段と、(b) 前記カフ脈波の立上り点を決定する基準点決定手段と、(c) その基準点決定手段により決定された前記カフ脈波の立上り点を基準とする立上りウインドウを設定するウインドウ設定手段と、(d) その４次微分処理手段により算出された４次微分波形に基づいて、前記カフ脈波に含まれる進行波成分のピーク発生点と該カフ脈波に含まれる反射波成分のピーク発生点とを決定するものであって、前記ウインドウ設定手段により設定された立上りウインドウ内における前記４次微分波形の零交差点に基づいて該進行波成分のピーク発生点を決定するものであるピーク発生点決定手段と、(e) そのピーク発生点決定手段により決定された進行波成分のピーク発生点の振幅と、そのピーク発生点決定手段により決定された反射波成分のピーク発生点の振幅との割合を示す振幅増加指数を算出する振幅増加指数算出手段とを、含むことにある。
【０００９】
【発明の効果】
このようにすれば、ピーク発生点決定手段によって、４次微分処理手段により算出された４次微分波形に基づいて前記カフ脈波に含まれる進行波成分のピーク発生点と該カフ脈波に含まれる反射波成分のピーク発生点とが決定され、振幅増加指数算出手段によって、そのピーク発生点決定手段により決定された進行波成分のピーク発生点のカフ脈波の振幅とそのピーク発生点決定手段により決定された反射波成分のピーク発生点のカフ脈波の振幅との割合を示す振幅増加指数が正確に算出される。また、前記ピーク発生点決定手段は、その立上りウインドウ内における前記４次微分波形の零交差点に基づいて前記進行波成分のピーク発生点を決定するものであるので、なだらかな波形のピーク検出処理に比較して、進行波成分のピーク発生点およびそれから求められる振幅増加指数が正確に算出される。
【００１１】
【発明の他の態様】
ここで、好適には、前記ピーク発生点決定手段は、前記立上りウインドウ内における前記４次微分波形の零交差点のうちその立上りウインドウの開始点または終了点から予め設定された順位の零交差点を前記進行波成分のピーク発生点として決定するものである。このようにすれば、予め設定された順位の零交差点が前記進行波成分のピーク発生点として決定されるので、進行波成分のピーク発生点およびそれから求められる振幅増加指数が一層正確に算出される。
【００１２】
また、好適には、前記カフ脈波のノッチ発生点を決定する基準点決定手段と、その基準点決定手段により決定された前記カフ脈波のノッチ発生点を基準とするノッチウインドウを設定するウインドウ設定手段とが設けられ、前記ピーク発生点決定手段は、そのノッチウインドウ内における前記４次微分波形の零交差点に基づいて前記反射波成分のピーク発生点を決定するものであるので、なだらかな波形のピーク検出処理に比較して、反射波成分のピーク発生点およびそれから求められる振幅増加指数が正確に算出される。
【００１３】
また、好適には、前記ピーク発生点決定手段は、前記ノッチウインドウ内における前記４次微分波形の零交差点のうち該ノッチウインドウの開始点または終了点から予め設定された順位の零交差点を前記反射波成分のピーク発生点として決定するものであるので、なだらかな波形のピーク検出処理に比較して、反射波成分のピーク発生点およびそれから求められる振幅増加指数が正確に算出される。
【００１４】
また、好適には、血圧測定のために、前記カフの圧迫圧力を前記カフが装着されている部位の最高血圧より高い圧力から最低血圧より低い圧力まで徐速降圧させる徐速降圧過程を含む血圧測定制御を実行するカフ圧制御装置を備え、前記カフ脈波は、その血圧測定制御に先立って、或いはその血圧制御の直後において、カフの圧力が上記血圧測定制御過程において得られた最低血圧よりも十分に低い圧力とされている状態で、そのカフから得られた脈波である。このようにすれば、血圧測定と同時に振幅増加指数が得られる利点がある。
【００１５】
また、好適には、前記振幅増加指数算出装置は動脈硬化検査装置として用いることができる。すなわち、その動脈硬化検査装置は、前記振幅増加指数算出装置により算出された振幅増加指数に基づいて前記生体の動脈硬化を検査するものである。
【００１６】
【発明の実施の形態】
以下、本発明の実施の形態を図面に基づいて詳細に説明する。図１は、本発明が適用された動脈硬化検査装置としても機能する振幅増加指数測定機能付自動血圧測定装置１０の回路構成を示すブロック図である。
【００１７】
図１において、カフ１２はゴム製袋を布製帯状袋内に有し、上腕部１４に巻回される。カフ１２には、圧力センサ１６、調圧弁１８が配管２０を介してそれぞれ接続されている。また、調圧弁１８には、配管２２を介して空気ポンプ２４が接続されている。調圧弁１８は、空気ポンプ２４により発生させられた圧力の高い空気を調圧してカフ１２内へ供給し、或いは、カフ１２内の空気を排気することにより、カフ１２内の圧力を調圧する。
【００１８】
圧力センサ１６は、カフ１２内の圧力を検出してその圧力を表す圧力信号SPを静圧弁別回路２６および脈波弁別回路（すなわち脈波弁別装置）２８にそれぞれ供給する。静圧弁別回路２６はローパスフィルタを備えており、圧力信号ＳＰに含まれる定常的な圧力すなわちカフ１２の圧迫圧力（以下、この圧力をカフ圧ＰC という）を表すカフ圧信号ＳＣを弁別してそのカフ圧信号ＳＣをＡ／Ｄ変換器３０を介して電子制御装置３２へ供給する。脈波弁別回路２８はたとえば１乃至３０Ｈｚ程度の信号通過帯域を有するバンドパスフィルタを備えており、圧力信号ＳＰの振動成分であるカフ脈波信号ＳＭを弁別してそのカフ脈波信号ＳＭをＡ／Ｄ変換器３４を介して電子制御装置３２へ供給する。上記カフ脈波信号ＳＭは、図示しない上腕動脈からカフ１２に伝達される圧力振動であることから上腕脈波を表す。
【００１９】
電子制御装置３２は、ＣＰＵ３６、ＲＯＭ３８、ＲＡＭ４０、および図示しないI/O ポート等を備えた所謂マイクロコンピュータにて構成されており、ＣＰＵ３６は、ＲＯＭ３８に予め記憶されたプログラムに従ってＲＡＭ４０の記憶機能を利用しつつ信号処理を実行することにより、Ｉ／Ｏポートから駆動信号を出力して空気ポンプ２４および調圧弁１８を制御する。ＣＰＵ３６は、その空気ポンプ２４および調圧弁１８を制御することによりカフ圧ＰC を制御する。また、ＣＰＵ３６は、図２に詳しく示す機能を実行することにより振幅増加指数ＡＩを算出し、さらに、表示器４２の表示内容を制御する。
【００２０】
図２は、自動血圧測定装置１０における電子制御装置３２の制御機能の要部を説明する機能ブロック線図である。
【００２１】
カフ圧制御手段５０は、静圧弁別回路２６から供給されるカフ圧信号ＳＣに基づいて調圧弁１８および空気ポンプ２４を制御して、カフ圧ＰC を制御する。従って、静圧弁別回路２６、調圧弁１８、空気ポンプ２４およびカフ圧制御手段５０によりカフ圧制御装置が構成される。カフ圧制御手段５０は、調圧弁１８および空気ポンプ２４を制御することにより、以下の血圧測定制御を実行する。すなわち、カフ圧制御手段５０は、カフ圧ＰC を上腕部１４における最高血圧値ＢＰSYS よりも高い値に予め設定された昇圧目標圧力値（たとえば180mmHg ）まで急速に昇圧し、その後、２〜３mmHg/secに設定された徐速降圧速度でカフ圧ＰC を徐速降圧させる。そして、後述する血圧値決定手段５２により最低血圧値ＢＰDIA が決定された後に、カフ脈波採取のために、カフ圧ＰC を一拍分以上の間、その平均血圧値ＢＰMEANまたは最低血圧値ＢＰDIA に基づいて定まる脈波検出圧力値とする。この脈波検出圧力値は、カフ圧ＰC が最低血圧値ＢＰDIA よりも高いと脈波弁別回路２８によって弁別される上腕脈波に歪みが生じ、特に、平均血圧値ＢＰMEANよりも高くなると上腕脈波の歪みが大きくなって、正確な振幅増加指数ＡＩを算出することが困難になることから、平均血圧値ＢＰMEANよりも低い値、好ましくは最低血圧値ＢＰDIA よりも低い値たとえば５０乃至６０mmHg程度に設定される。しかし、カフ圧ＰC が低すぎても弁別される上腕脈波が小さくなりすぎて正確な振幅増加指数ＡＩを算出することが困難になるので、脈波検出圧力値は、上腕脈波の大きさが十分な大きさとなる程度に高い値に設定される。
【００２２】
血圧値決定手段５２は、カフ圧制御手段５０によりカフ圧ＰC が徐速降圧させられる過程において、順次採取されるカフ脈波信号ＳＭが表す上腕脈波の振幅の変化に基づき、よく知られたオシロメトリック法を用いて最高血圧値ＢＰSYS 、最低血圧値ＢＰDIA 、および平均血圧値ＢＰMEANを決定し、その決定した最高血圧値ＢＰSYS 等を表示器４２に表示する。
【００２３】
ピーク発生点決定手段５４は、上記脈波検出圧力値に維持されているカフ１２から検出されるカフ脈波信号ＳＭを４次微分処理し、その４次微分波形に基づいてすなわちその４次微分波形の零交差（零クロス）点に基づいて、カフ脈波信号ＳＭに含まれる進行波成分のピーク点Ｐおよびその発生時点ｔP と反射波成分のピーク点Ｒおよびその発生時点ｔR とを決定する。図３および図４には、異なる形状のカフ脈波信号ＳＭとその４次微分波形とが同時相でそれぞれ示されており、進行波成分のピーク点Ｐおよびその発生時点ｔP と反射波成分のピーク点Ｒおよびその発生時点ｔR とが示されている。
【００２４】
たとえば、上記ピーク発生点決定手段５４は、前記脈波検出圧力値に維持されているカフ１２から検出されるカフ脈波信号ＳＭの基準点すなわち立上り点ｔ1 およびノッチ点ｔ6 を、カフ脈波の波形に基づいて決定する基準点決定手段５６と、その立上り点ｔ1 を基準としてそれから所定時間後に開始或いは終了されるｔ2 時点からｔ3 時点までの立上りウインドウ（時間ゲート）Ｗ1 を設定するとともに、上記ノッチ点ｔ6 を基準としてその所定時間前から開始或いは終了されるｔ4 時点からｔ5 時点までのノッチウインドウ（時間ゲート）Ｗ2 を設定するウインドウ設定手段５８と、前記脈波検出圧力値に維持されているカフ１２から検出されるカフ脈波信号ＳＭを４回微分演算する４次微分処理を実行する四次微分処理手段６０と、その四次微分処理手段６０により処理された４次微分波形のうち上記立上りウインドウＷ1 およびノッチウインドウＷ2 内の４次微分波形の零交差（零クロス）点に基づいて、カフ脈波信号ＳＭに含まれる進行波成分のピーク点Ｐおよびその発生時点ｔP と反射波成分のピーク点Ｒおよびその発生時点ｔR とを決定する進行波反射波ピーク決定手段６２とを備えている。上記基準点決定手段５６では、たとえばカフ脈波信号ＳＭの最小点と最大点との間の振幅の所定割合たとえば１／１０の高さ位置だけ極小点から立ち上がった場所が立上り点ｔ1 として決定され、最大点以後における最初の極小点或いは変曲点がノッチ点ｔ6 として決定される。また、上記進行波反射波ピーク決定手段６２では、上記立上りウインドウＷ1 内における４次微分波形の零交差のうち立上りウインドウＷ1 の開始点から予め設定された順位たとえば最初の上から下へ向かう零交差点が進行波成分のピーク発生時点ｔP として決定され、上記ノッチウインドウＷ2 内における４次微分波形の零交差のうちのノッチウインドウＷ2 の開始点から予め設定された順位たとえば最初の下から上へ向かう零交差点が反射波成分のピーク発生時点ｔR として決定される。上記ウインドウ設定手段５８において用いられている、立上り点ｔ1 から立上りウインドウＷ1 の開始点或いは終了点までの所定時間、およびノッチ点ｔ6 からノッチウインドウＷ2 の開始点或いは終了点までの所定時間は、そのように予め実験的に求められた値である。
【００２５】
振幅増加指数算出手段６６は、まず、前記脈波検出圧力値に維持されているカフ１２から検出されるカフ脈波信号ＳＭの脈圧（最大振幅）ＰＰを決定し、反射波成分のピーク発生時点ｔR におけるカフ脈波信号ＳＭの大きさｂから進行波成分のピーク発生時点ｔP におけるカフ脈波信号ＳＭの大きさａを引いた差分値ΔＰ＝（ｂ−ａ）および脈圧ＰＰから、式１に示す関係を用いて振幅増加指数ＡＩを算出し、算出した振幅増加指数ＡＩを表示器４２に表示させる。
【００２６】
ＡＩ＝（ΔＰ／ＰＰ）×１００（％）・・・（式１）
【００２７】
図５は、図２の機能ブロック線図に示したＣＰＵ３６の制御作動をさらに具体的に説明するフローチャートであり、図６は、図５の進行波および反射波のピーク発生点決定作動を説明するサブルーチンを示す図である。
【００２８】
図５において、図示しない測定起動操作が行われると、ステップＳ１（以下、ステップを省略する。）において、空気ポンプ２４が起動されるとともに調圧弁１８が制御されることにより、血圧測定のためにカフ圧ＰC を急速に昇圧させる急速昇圧が開始される。次いで、Ｓ２では、カフ圧ＰC が予め180mmHg 程度に設定された昇圧目標圧力値ＰCmを超えたか否かが判断される。このＳ２の判断が否定されるうちは、そのＳ２の判断が繰り返し実行されることにより待機させられてカフ圧ＰC の急速昇圧が継続される。しかし、カフ圧ＰC が昇圧目標圧力値ＰCmを超えると、上記Ｓ２の判断が肯定されるので、Ｓ３において、空気ポンプ２４が停止させられるとともに調圧弁１８が制御されることにより、カフ圧ＰC がたとえば３乃至５mmHg/sec程度に設定された速度で徐速降圧させられる。
【００２９】
続くＳ４では、脈波弁別回路２８から供給されるカフ脈波信号ＳＭが一拍分読み込まれた後、前記血圧値決定手段５２に対応するＳ５では、カフ圧ＰC の徐速降圧過程で上記Ｓ５において逐次得られる上腕脈波の振幅の変化に基づいて、良く知られたオシロメトリック方式の血圧測定アルゴリズムに従って最高血圧値ＢＰSYS 、平均血圧値ＢＰMEAN、および最低血圧値ＢＰDIA が決定される。続くＳ６では、上記Ｓ５においてすべての血圧値ＢＰの決定が完了したか否かを判断する。このＳ６の判断が否定されるうちは、前記Ｓ４以下が繰り返し実行されて血圧測定作動が継続されるが、肯定されると、Ｓ７において、Ｓ６で決定された最高血圧値ＢＰSYS 、平均血圧値ＢＰMEAN、最低血圧値ＢＰDIA が表示器４２に表示される。
【００３０】
前記カフ圧制御手段５０に対応するＳ８では、カフ脈波を採取するために、カフ圧ＰC が予め求められ且つ設定された一定の前記脈波検出圧力値に制御された後、Ｓ９において、少なくとも１拍分のカフ脈波信号ＳＭが読み込まれる。そして、前記ピーク発生点決定手段５４に対応するＳ１０が実行される。このＳ１０では、たとえば図６に示すピーク発生点決定ルーチンが実行される。
【００３１】
図６において、前記基準点決定手段５６に対応するＳＡ１では、脈波検出圧力値に維持されているカフ１２から検出されるカフ脈波信号ＳＭの基準点すなわち立上り点ｔ1 およびノッチ点ｔ6 が、カフ脈波の波形に基づいて決定される。たとえば、カフ脈波信号ＳＭの最小点と最大点との間の振幅の所定割合たとえば１／１０の高さ位置だけ極小点から立ち上がった場所が立上り点ｔ1 として決定され、最大点以後における最初の極小点或いは変曲点がノッチ点ｔ6 として決定される。次いで、前記ウインドウ設定手段５８に対応するＳＡ２では、上記の立上り点ｔ1 を基準としてそれから所定時間後に開始されるｔ2 時点からｔ3 時点までの立上りウインドウ（時間ゲート）Ｗ1 が設定されるとともに、上記ノッチ点ｔ6 を基準としてその所定時間前から開始されるｔ4 時点からｔ5 時点までのノッチウインドウ（時間ゲート）Ｗ2 が設定される。続いて、前記四次微分処理手段６０に対応するＳＡ３では、前記脈波検出圧力値に維持されているカフ１２から検出されるカフ脈波信号ＳＭが４次微分処理される。そして、前記進行波反射波ピーク決定手段６２に対応するＳＡ４では、上記ＳＡ３により処理された４次微分波形のうち上記立上りウインドウＷ1 およびノッチウインドウＷ2 内の４次微分波形の零交差（零クロス）点に基づいて、カフ脈波信号ＳＭに含まれる進行波成分のピーク点Ｐおよびその発生時点ｔP と反射波成分のピーク点Ｒおよびその発生時点ｔR とが決定される。
【００３２】
図５に戻って、上記のようにしてカフ脈波信号ＳＭに含まれる進行波成分のピーク点Ｐおよびその発生時点ｔP と反射波成分のピーク点Ｒおよびその発生時点ｔR とが決定されると、前記振幅増加指数算出手段６６に対応するＳ１０において、前記脈波検出圧力値に維持されているカフ１２から検出されるカフ脈波信号ＳＭの脈圧（最大振幅）ＰＰが決定され、次いで、反射波成分のピーク発生時点ｔR におけるカフ脈波信号ＳＭの大きさｂから進行波成分のピーク発生時点ｔP におけるカフ脈波信号ＳＭの大きさａを引いた差分値ΔＰ＝（ｂ−ａ）が算出され、その差分値ΔＰおよび脈圧ＰＰから、式１に示す関係を用いて振幅増加指数ＡＩが算出され、続くＳ１１において、上記算出された振幅増加指数ＡＩが表示器４２に表示される。そして、Ｓ１２では、調圧弁１８を制御することによりカフ圧ＰC が大気圧まで排圧される。
【００３３】
上述のように、本実施例によれば、ピーク発生点決定手段５４（Ｓ１０）によって、４次微分処理手段６０（ＳＡ３）により算出されたカフ脈波信号ＳＭの４次微分波形に基づいてそのカフ脈波信号ＳＭに含まれる進行波成分のピーク発生点Ｐとそのカフ脈波信号ＳＭに含まれる反射波成分のピーク発生点Ｒとが決定され、振幅増加指数算出手段６６（Ｓ１１）によって、そのピーク発生点決定手段５４により決定された進行波成分のピーク発生点Ｐのカフ脈波の振幅とそのピーク発生点決定手段により決定された反射波成分のピーク発生点Ｒのカフ脈波の振幅との差ΔＰの脈圧ＰＰに対する割合を示す振幅増加指数ＡＩが正確に算出される。
【００３４】
また、本実施例によれば、カフ脈波信号ＳＭの立上り点を決定する基準点決定手段５６（ＳＡ１）と、その基準点決定手段５６により決定されたカフ脈波信号ＳＭの立上り点を基準とする立上りウインドウＷ1 を設定するウインドウ設定手段５８（ＳＡ２）とが設けられ、前記ピーク発生点決定手段５４は、その立上りウインドウＷ1 内における前記４次微分波形の零交差点に基づいて進行波成分のピーク発生点Ｐを決定するものであるので、なだらかな波形のピーク検出処理に比較して、進行波成分のピーク発生点Ｐおよびそれから求められる振幅増加指数ＡＩが正確に算出される。
【００３５】
また、本実施例によれば、上記ピーク発生点決定手段５４は、前記立上りウインドウＷ1 内における４次微分波形の零交差点のうちその立上りウインドウＷ1 の開始点または終了点から予め設定された向きおよび順位の零交差点を前記進行波成分のピーク発生点Ｐとして決定するものであるので、進行波成分のピーク発生点Ｐおよびそれから求められる振幅増加指数ＡＩが一層正確に算出される。
【００３６】
また、本実施例によれば、カフ脈波信号ＳＭのノッチ発生点を決定する基準点決定手段５６（ＳＡ１）と、その基準点決定手段５６により決定されたカフ脈波信号ＳＭのノッチ発生点を基準とするノッチウインドウＷ2 を設定するウインドウ設定手段５８（ＳＡ２）とが設けられ、前記ピーク発生点決定手段５４は、そのノッチウインドウＷ2 内における４次微分波形の零交差点に基づいて反射波成分のピーク発生点Ｒを決定するものであるので、なだらかな波形のピーク検出処理に比較して、反射波成分のピーク発生点Ｒおよびそれから求められる振幅増加指数ＡＩが正確に算出される。
【００３７】
また、本実施例によれば、上記ピーク発生点決定手段５４は、前記ノッチウインドウＷ2 内における４次微分波形の零交差点のうちそのノッチウインドウＷ2 の開始点または終了点から予め設定された交差方向および順位の零交差点を反射波成分のピーク発生点Ｒとして決定するものであるので、なだらかな波形のピーク検出処理に比較して、反射波成分のピーク発生点Ｒおよびそれから求められる振幅増加指数ＡＩが正確に算出される。
【００３８】
また、本実施例によれば、血圧測定のために、カフ１２の圧迫圧力をそのカフ１２が装着されている部位の最高血圧より高い圧力から最低血圧より低い圧力まで徐速降圧させる徐速降圧過程を含む血圧測定制御を実行するカフ圧制御装置を備え、カフ脈波信号ＳＭは、その血圧制御の直後において、カフ１２の圧力が上記血圧測定制御過程において得られた最低血圧よりも十分に低い圧力とされている状態で、そのカフ１２から得られた脈波であるので、血圧測定と同時に振幅増加指数ＡＩが得られる利点がある。
【００３９】
また、本実施例によれば、振幅増加指数算出機能を備えた血圧測定装置１０は動脈硬化検査装置として用いることができる。この場合の動脈硬化検査装置は、前記振幅増加指数算出手段６６により算出された振幅増加指数ＡＩに基づいて生体の動脈硬化が検査される。
【００４０】
以上、本発明の実施形態を図面に基づいて詳細に説明したが、本発明はその他の態様においても適用される。
【００４１】
たとえば、前述の振幅増加指数算出機能を備えた血圧測定装置１０では、カフ１２は、上腕部１４に装着されていたが、他の部位、たとえば大腿部や足首に装着されてもよい。
【００４２】
また、前述の振幅増加指数算出機能を備えた血圧測定装置１０は、カフ圧制御手段５０により、カフ圧ＰC が最高血圧値ＢＰSYS よりも高い圧力まで急速昇圧された直後に徐速降圧させられるようになっており、その徐速降圧過程の後で、カフ脈波を検出するための脈波検出圧力値とされていたが、上記急速昇圧前に、カフ脈波を検出するための脈波検出圧力値とされてもよい。すなわち、振幅増加指数ＡＩは上記血圧測定制御に先立って測定されてもよい。
【００４３】
また、前述の振幅増加指数算出機能を備えた血圧測定装置１０では、カフ圧ＰC が脈波検出圧力値に維持された状態でカフ脈波が採取されていたが、カフ圧ＰC がたとえば徐速降圧過程で採取されてもよい。性能のよいフィルタを通すことによって歪みの少ないカフ脈波が得られる。
【００４４】
また、振幅増加指数ＡＩの算出式（式１）は、分母が脈圧PPであることが一般的であるが、分母が進行波成分のピーク発生時点または反射波成分のピーク発生時点における低圧時脈波の振幅であっても、算出される値は動脈硬化を反映するので、式１において脈圧PPに代えて進行波成分のピーク発生時点または反射波成分のピーク発生時点における低圧時脈波の振幅を用いてもよい。要するに、カフ脈波に含まれる進行波成分に対する反射波成分の割合を示すものであればよい。
【００４５】
また、前述の実施例の進行波反射波ピーク決定手段６２は、立上りウインドウＷ1 内の４次微分波形の最初の上から下への零交差を進行波のピーク点Ｐとして決定し、ノッチウインドウＷ2 内における４次微分波形の最初の下から上への零交差点を反射波のピーク点Ｒとして決定していたが、その零交差の順位および交差方向は、立上りウインドウＷ1 やノッチウインドウＷ2 の設定、４次微分処理の正負に関連して適宜設定され得るものである。
【００４６】
なお、本発明はその主旨を逸脱しない範囲において、その他種々の変更が加えられ得るものである。
【図面の簡単な説明】
【図１】本発明の振幅増加指数算出機能を備えた血圧測定装置の回路構成を示すブロック図である。
【図２】図１の振幅増加指数算出機能を備えた血圧測定装置における電子制御装置の制御機能の要部を説明する機能ブロック線図である。
【図３】図２におけるカフ脈波、４次微分波形、立上りウインドウＷ1 やノッチウインドウＷ2 、進行波のピーク点Ｐ、反射波のピーク点Ｒの相互関係を示すタイムチャートである。
【図４】図３とは異なる形状のカフ脈波についての、４次微分波形、立上りウインドウＷ1 やノッチウインドウＷ2 、進行波のピーク点Ｐ、反射波のピーク点Ｒの相互関係を示すタイムチャートである。
【図５】図１の振幅増加指数算出機能を備えた血圧測定装置における電子制御装置の制御作動の要部を説明するフローチャートである。
【図６】図５のピーク発生点決定ルーチンの作動を説明する図である。
【符号の説明】
１０：振幅増加指数測定機能付血圧測定装置
１２：カフ
１４：上腕部( 生体の一部)
５４：ピーク発生点決定手段
５６：基準点決定手段
５８：ウインドウ設定手段
６０：４次微分処理手段
６６：振幅増加指数算出手段
【図１】
0003643567.tif 000002
【図２】
0003643567.tif 000003
【図３】
0003643567.tif 000004
【図４】
0003643567.tif 000005
【図５】
0003643567.tif 000006
【図６】
0003643567.tif 000007